(57)【要約】【課題】  複数の媒体について正常でない異常媒体として排出された場合でも、オペレータに適切な案内情報を出力する媒体処理装置を提供する。【解決手段】  本発明は、媒体処理装置に関する。そして、本発明の媒体処理装置は、投入された媒体の正常性を複数の検査項目に基づいて判定する手段と、正常でないと判定された異常媒体を排出する手段と、異常媒体が検出された場合に、当該異常媒体について正常でないと判定された異常検査項目の発生状況に係る履歴情報を記録する手段と、保持している履歴情報から、異常検査項目ごとの検出回数又は検出順序を認識し、その認識結果に基づいて、検出された異常媒体の状態改善を促すための案内情報を出力する手段とを有することを特徴とする。【選択図】      図１
2014232445.tif 000002
【特許請求の範囲】
【請求項１】
投入された媒体の正常性を複数の検査項目に基づいて判定する媒体判定手段と、
上記媒体判定手段で正常でないと判定された異常媒体を排出する媒体排出手段と、
上記媒体判定手段で異常媒体が検出された場合に、当該異常媒体について正常でないと判定された異常検査項目の発生状況に係る履歴情報を記録する履歴情報記録手段と、
上記履歴情報記録手段が保持している履歴情報から、異常検査項目ごとの検出回数又は検出順序を認識し、その認識結果に基づいて、検出された異常媒体の状態改善を促すための案内情報を出力する案内情報出力手段と
を有することを特徴とする媒体処理装置。
【請求項２】
上記履歴情報記録手段は、異常検査項目ごとの検出回数を履歴情報として記録し、
上記案内情報出力手段は、上記履歴情報記録手段が保持している履歴情報を参照し、少なくとも最も検出回数の多い異常検査項目に係る異常媒体の状態改善を促すための案内情報を出力することを特徴とする請求項１に記載の媒体処理装置。
【請求項３】
上記履歴情報記録手段は、上記媒体判定手段で検出された異常媒体ごとに、当該異常媒体の検出順序と、当該異常媒体に係る異常検査項目とを対応付けた情報を履歴情報として記録し、
上記案内情報出力手段は、上記履歴情報記録手段が保持している履歴情報の一部又は全部を案内情報として出力する
ことを特徴とする請求項１に記載の媒体処理装置。
【請求項４】
上記案内情報出力手段は、上記媒体判定手段で検出された異常媒体ごとの検出順序とともに、当該異常媒体に係る異常検査項目を案内情報として表示出力することを特徴とする請求項３に記載の媒体処理装置。
【請求項５】
当該媒体処理装置は、オペレータへ操作画面を提供する操作表示部をさらに備え、
上記案内情報出力手段は、案内情報を上記操作画面に表示し、操作画面上でオペレータに選択された異常媒体の異常検査項目に係る媒体の状態改善を促すための案内情報を出力する
ことを特徴とする請求項４に記載の媒体処理装置。
【請求項６】
媒体処理装置が行う情報出力方法において、
媒体判定手段、媒体排出手段、履歴情報記録手段、案内情報出力手段を備え、
上記媒体判定手段は、投入された媒体の正常性を複数の検査項目に基づいて判定し、
上記媒体排出手段は、上記媒体判定手段で正常でないと判定された異常媒体を排出し、
上記履歴情報記録手段は、上記媒体判定手段で異常媒体が検出された場合に、当該異常媒体について正常でないと判定された異常検査項目の発生状況に係る履歴情報を記録し、
上記案内情報出力手段は、上記履歴情報記録手段が保持している履歴情報から、異常検査項目ごとの検出回数又は検出順序を認識し、その認識結果に基づいて、検出された異常媒体の状態改善を促すための案内情報を出力する
ことを特徴とする情報出力方法。
【発明の詳細な説明】
【技術分野】
【０００１】
本発明は、媒体処理装置、及び情報出力方法に関し、例えば、銀行などの金融機関や店舗等で現金を管理するための現金処理装置等に適用し得る。
【背景技術】
【０００２】
従来、銀行等の金融機関の窓口等では、現金を管理（入金及び出金）するための現金処理装置が利用されている。
【０００３】
従来の装置では、入金取引等で異常と認識された紙幣を出金口等に排出することにより返却（以下、「リジェクト」とも呼ぶ）され、再度入金口に投入されると再鑑別を行うことになるが、オペレータはどのような要因でリジェクトされたのかがわからないため、リジェクトされた紙幣をそのまま入金口から計数すると、再度リジェクトされる可能性が高いという問題があった。
【０００４】
上述のような問題を解決するための従来技術としては、例えば、特許文献１や特許文献２の記載技術がある。
【０００５】
特許文献１に記載された装置は、紙幣の入金を受付ける際に、正常でない紙幣が投入された場合、当該紙幣をリジェクトすると共に、リジェクト扱いとなった内容と、次の入金操作の方法をガイダンス表示する。
【０００６】
また特許文献２に記載された装置は、正常でない紙幣が発生してリジェクトする場合、リジェクトした要因を表示出力する。
【先行技術文献】
【特許文献】
【０００７】
【特許文献１】特開２００２−２８８６９５号公報
【特許文献２】特開平６−１２５４９号公報
【発明の概要】
【発明が解決しようとする課題】
【０００８】
しかしながら、特許文献１、２の記載技術では、複数の紙幣のリジェクトが発生すると、表示するガイダンスが適切な内容とならない場合があった。
【０００９】
そのため、投入した媒体のうち、複数の媒体（例えば、紙幣等）について正常でない異常媒体として排出された場合でも、オペレータに適切な案内情報を出力することができる媒体処理装置、及び情報出力方法が望まれている。
【課題を解決するための手段】
【００１０】
第１の本発明の媒体処理装置は、（１）投入された媒体の正常性を複数の検査項目に基づいて判定する媒体判定手段と、（２）上記媒体判定手段で正常でないと判定された異常媒体を排出する媒体排出手段と、（３）上記媒体判定手段で異常媒体が検出された場合に、当該異常媒体について正常でないと判定された異常検査項目の発生状況に係る履歴情報を記録する履歴情報記録手段と、（４）上記履歴情報記録手段が保持している履歴情報から、異常検査項目ごとの検出回数又は検出順序を認識し、その認識結果に基づいて、検出された異常媒体の状態改善を促すための案内情報を出力する案内情報出力手段とを有することを特徴とする。
【００１１】
第２の本発明は、媒体処理装置が行う情報出力方法において、（１）媒体判定手段、媒体排出手段、履歴情報記録手段、案内情報出力手段を備え、（２）上記媒体判定手段は、投入された媒体の正常性を複数の検査項目に基づいて判定し、（３）上記媒体排出手段は、上記媒体判定手段で正常でないと判定された異常媒体を排出し、（４）上記履歴情報記録手段は、上記媒体判定手段で異常媒体が検出された場合に、当該異常媒体について正常でないと判定された異常検査項目の発生状況に係る履歴情報を記録し、（５）上記案内情報出力手段は、上記履歴情報記録手段が保持している履歴情報から、異常検査項目ごとの検出回数又は検出順序を認識し、その認識結果に基づいて、検出された異常媒体の状態改善を促すための案内情報を出力することを特徴とする。
【発明の効果】
【００１２】
本発明によれば、複数の媒体について正常でない異常媒体として排出された場合でも、オペレータに適切な案内情報を出力する媒体処理装置を提供することができる。
【図面の簡単な説明】
【００１３】
【図１】第１の実施形態に係る現金処理装置の機能的構成について示したブロック図である。
【図２】第１の実施形態に係る現金処理装置の概略側断面図である。
【図３】第１の実施形態に係る現金処理装置を構成する操作パネルを拡大して表示する平面図である。
【図４】第１の実施形態に係る現金処理装置で記憶されるリジェクト要因履歴情報の構成例について示した説明図である。
【図５】第１の実施形態に係る現金処理装置で記憶されるリジェクト要因対処情報の構成例について示した説明図である。
【図６】第１の実施形態に係る現金処理装置で表示される案内情報出力画面（ガイダンス）の例について示した説明図である。
【図７】第１の実施形態に係る現金処理装置の動作について示したフローチャートである。
【図８】第２の実施形態に係る現金処理装置の機能的構成について示したブロック図である。
【図９】第２の実施形態に係る現金処理装置で記憶されるリジェクト要因履歴情報の構成例について示した説明図である。
【図１０】第２の実施形態に係る現金処理装置で表示される案内情報出力画面（ガイダンス）の例について示した説明図である。
【発明を実施するための形態】
【００１４】
（Ａ）第１の実施形態
以下、本発明による媒体処理装置、及び情報出力方法の第１の実施形態を、図面を参照しながら詳述する。第１の実施形態では本発明の媒体処理装置、及び情報出力方法を現金処理装置に適用した例について説明する。
【００１５】
（Ａ−１）第１の実施形態の構成
図１は、この実施形態の現金処理装置１の機能的構成について示したブロック図である。
【００１６】
現金処理装置１は、金融機関の店舗等で、現金の管理を行うこと等に用いられる装置である。現金処理装置１は、オペレータの操作に応じて、現金の入金を受付けて収納する入金取引と、オペレータの操作に応じて収納している現金を出金する出金取引を行うことができる。
【００１７】
現金処理装置１は、大別すると制御部１０、操作表示部２０、及び紙幣処理部３０を有している。
【００１８】
制御部１０は、現金処理装置１内の各部の動作を制御する機能を担っている。制御部１０は、例えば、プロセッサやメモリ等を含むプログラムの実施構成に実施形態の媒体処理プログラム等をインストールすることにより実現することができる。制御部１０は、オペレータの操作を受け付けるための情報処理（オペレータへの操作画面の提示や操作受付に伴う処理を含む）、オペレータの操作に応じた情報処理、及び現金処理装置１内の各構成要素の制御処理等の機能を担っている。
【００１９】
紙幣処理部３０は、制御部１０からの制御に応じて紙幣の入金を受付けて収納する処理や、制御部１０からの制御に応じて収納している紙幣の出金を行うものであり、紙幣入金口３１、紙幣出金口３２、紙幣認識部３３、一次保留部３４、搬送部３５、４つの紙幣カセット３６（３６−１〜３６−４）、及びリジェクト庫が搭載されたリジェクト庫付紙幣カセット３７を有している。
【００２０】
搬送部３５は、搬送路３５１により、装置内の各構成要素間での紙幣搬送を行うものである。搬送路３５１は、例えば、紙幣を搬送するためのベルトやローラ等により構成されている。搬送路３５１は、順方向及び逆方向に紙幣を搬送することが可能な構成（紙幣の搬送方向を切替可能な構成）となっている。
【００２１】
紙幣入金口３１は、オペレータから束で投入された紙幣を受入れて集積し、一枚ずつ分離して、搬送部３５の搬送路３５１上に供給するものである。
【００２２】
紙幣出金口３２は、搬送路３５１から供給された紙幣を集積し、オペレータへの紙幣の出金を行うものである。また、この実施形態では、紙幣出金口３２は、オペレータへリジェクト（返却）する紙幣を排出する媒体排出手段としても機能する。
【００２３】
紙幣認識部３３は、搬送路３５１上を通過する紙幣の鑑別（例えば、金種や紙幣の傷み等の鑑別）を行う媒体判定手段として機能するものである。紙幣認識部３３は、紙幣入金口３１から取り込まれた紙幣については、少なくとも、収納する紙幣として正常な紙幣（以下、「正常紙幣」と呼ぶ）であるか、正常紙幣でない紙幣(以下、「異常紙幣」と呼ぶ)であるかを判定する。そして、現金処理装置１（制御部１０）では、異常紙幣については、紙幣出金口３２等にリジェクトする「リジェクト紙幣」として取り扱う。紙幣認識部３３が紙幣鑑別に際して考慮する検査項目については限定されないものであるが、この実施形態の紙幣認識部３３では、例として、真偽、汚れの度合、損傷の度合、折れ部分の有無、スキュー（搬送異常の有無）等が紙幣の検査項目として適用されているものとする。この実施形態では、紙幣認識部３３は、１つ以上の検査項目で異常（ＮＧ）だった紙幣については、異常紙幣と判定するものとする。
【００２４】
以下では、紙幣認識部３３が異常と判定した検査項目（異常検査項目）を「リジェクト要因」とも呼ぶものとする。
【００２５】
一次保留部３４は、紙幣入金口３１から入金された紙幣のうち、正常紙幣と判定された紙幣を一時的（例えば、オペレータとの一連の入金取引が確定するまでの間）に蓄積する収納庫である。一次保留部３４は、紙幣認識部３３で正常紙幣と判定された紙幣を搬送路３５１から取り込んで集積し、制御部１０の制御に応じて一枚ずつ分離し、搬送路３５１に繰出す構成となっている。なお、現金処理装置１では、一次保留部３４を中継せずに、紙幣処理部３０で正常判定された紙幣を直接紙幣カセット（紙幣カセット３６−１〜３６−４又はリジェクト庫付紙幣カセット３７）の紙幣収納庫に収納する処理（以下、「ダイレクト入金」と呼ぶ）にも対応するようにしてもよい。
【００２６】
紙幣カセット３６−１〜３６−４は、それぞれ紙幣の収納及び繰出し（１枚ごとに分離した繰出し）が可能な紙幣収納庫３６１を備えている。また、紙幣カセット３６−１〜３６−４は、それぞれ現金処理装置１本体に着脱可能に配置されている。
【００２７】
リジェクト庫付紙幣カセット３７は、紙幣の収納及び繰出し（１枚ごとに分離した繰出し）が可能な紙幣収納庫３７１に加えて、底部（紙幣収納庫３７１の下側）に、出金処理を行う際に検出された異常紙幣（リジェクト紙幣）を収納するリジェクト庫３７２を備えている。現金処理装置１では、紙幣カセット３６−１〜３６−４から紙幣が出金される際にも、紙幣認識部３３により紙幣が鑑別され、異常紙幣が発生した場合には、当該異常紙幣がリジェクト庫３７２に収納される。また、リジェクト庫付紙幣カセット３７は、現金処理装置１本体に着脱可能に配置されている。
【００２８】
現金処理装置１において、紙幣カセット３６−１〜３６−４及びリジェクト庫付紙幣カセット３７のそれぞれの用途は現金処理装置１の設定に応じた利用が可能であるが、この実施形態では、紙幣カセット３６−１〜３６−４は、主としてオペレータとの紙幣の入出金取引に用いられ、リジェクト庫付紙幣カセット３７は、主として現金処理装置１内の紙幣の補充や回収に利用されるものとして説明する。さらに、制御部１０では、各紙幣カセット３６に対して、収納する紙幣の金種がわりあてられているものとする。
【００２９】
現金処理装置１では、入金取引により紙幣入金口３１から各紙幣カセット３６へ紙幣を補充する方式（以下、「投入口補充方式」と呼ぶ）、各紙幣カセット３６の交換により紙幣を補充する方式（以下、「カセット交換補充方式」と呼ぶ）、紙幣が収納されたリジェクト庫付紙幣カセット３７から各紙幣カセット３６へ紙幣を補充する方式（以下、「カセット計数補充方式」と呼ぶ）の３通りの補充方式に対応しているものとする。なお、現金処理装置１において出金する紙幣の補充方式は限定されないものである。
【００３０】
また、現金処理装置１では、出金取引により紙幣出金口３２から各紙幣カセット３６の紙幣を回収する方式（以下、「投入口回収方式」と呼ぶ）、各紙幣カセット３６の交換により紙幣を回収する方式（以下、「カセット交回収充方式」と呼ぶ）、リジェクト庫付紙幣カセット３７へ各紙幣カセット３６の紙幣を移動させて回収する方式（以下、「カセット計数回収方式」と呼ぶ）の３通りの回収方式に対応しているものとする。なお、現金処理装置１において入金された紙幣を回収する方式は限定されないものである。
【００３１】
以上のように、現金処理装置１では、紙幣カセット３６−１〜３６−４及びリジェクト庫付紙幣カセット３７が利用される。
【００３２】
現金処理装置１の上面には、操作パネル４０が配置されている。
【００３３】
図３は、操作パネル４０の平面図である。
【００３４】
図３に示すように、操作パネル４０には、紙幣入金口３１、紙幣出金口３２、及びオペレータからの操作を受付けることが可能な占有キー２１、２２、及び、オペレータへの情報出力や操作受付（操作画面を用いた操作受付）を行うことが可能なディスプレイ２３（タッチパネル方式のディスプレイ）が配置されている。
【００３５】
占有キー２１、２２には、ボタンカバーの内部にランプ（例えば、ＬＥＤランプ等）が組み込まれており、制御部１０の制御に応じてボタンを照明させることが可能な構成となっている。
【００３６】
次に、制御部１０の詳細について説明する。
【００３７】
制御部１０は、当該現金処理装置１全体の動作制御を行うものである。制御部１０は、例えば、例えば、プロセッサとメモリを有するコンピュータ（例えば、マイクロコンピュータ）に、各構成要素を制御するための処理プログラムをインストールすることにより構築することができ、その場合でも機能的には図１のように示すことができる。
【００３８】
第１の実施形態の制御部１０は、少なくとも、リジェクト要因履歴情報１１、及びリジェクト要因対処情報１２を記憶している。
【００３９】
リジェクト要因履歴情報１１は、紙幣認識部３３判定で検出された異常検査項目ごとの発生回数（統計情報）を示す情報となっている。
【００４０】
図４は、リジェクト要因履歴情報１１の構成例について示した説明図である。
【００４１】
リジェクト要因履歴情報１１は、例えば、図４のようなテーブルを用いて、リジェクト要因ごとの発生回数をカウントするようにしてもよい。具体的には、制御部１０は、１つの入金処理（入金取引）の過程で発生したリジェクト紙幣のリジェクト要因をカウントして、リジェクト要因履歴情報１１に反映する。なお、１枚の紙幣で２つ以上のリジェクト要因が発生した場合には、制御部１０は、発生した全てのリジェクト要因についてそれぞれカウント（インクリメント）するものとする。
【００４２】
制御部１０は、入金取引を行う際、搬送部３５を制御して、紙幣入金口３１に投入された紙幣を、１枚ずつ繰出させて紙幣認識部３３に鑑別処理を実行させる。また、制御部１０は、紙幣認識部３３により正常紙幣と判定された紙幣については、搬送部３５を制御して一次保留部３４に集積させる。さらに、制御部１０は、紙幣認識部３３により異常紙幣と判定された紙幣については、搬送部３５を制御して、リジェクト紙幣として紙幣入金口３１に搬送して集積させる。さらにまた、制御部１０は、異常紙幣（リジェクト紙幣）が発生した場合に、当該紙幣に係るリジェクト要因を確認して、リジェクト要因履歴情報１１を更新（該当するリジェクト要因の発生回数をインクリメント）する。
【００４３】
また、制御部１０は、入金取引で、少なくとも、紙幣入金口３１からの紙幣取り込みを行っている間、リジェクト紙幣が検出された場合には、リジェクト要因履歴情報１１の内容を集計し、その集計結果に基づいて、投入された紙幣のリジェクト要因に対する処置方法の情報（以下、「リジェクト要因対処情報」と呼ぶ）を案内情報としてオペレータに対して出力する。具体的には、制御部１０は、リジェクト要因履歴情報１１を確認し、最も発生回数の多いリジェクト要因を認識し、当該リジェクト要因に対するリジェクト要因対処情報を操作表示部２０（ディスプレイ２３）に表示出力する。例えば、最も発生回数の多いリジェクト要因が「折れ」だった場合には、制御部１０は、図５に示すように「出金口から取り出した紙幣の折れを直して、再度入金口に挿入してください」といったガイダンス（メッセージ）を、リジェクト要因対処情報を表示出力する。これにより、オペレータは当該ガイダンス（メッセージ）に従って紙幣の折れを直して紙幣入金口３１に再度投入し入金を行うことができる。
【００４４】
リジェクト要因対処情報１２には、リジェクト要因ごとに対応するリジェクト要因対処情報（案内情報）が記憶されている。制御部１０は、リジェクト要因対処情報１２に基づいて、検出したリジェクト要因ごとに対応するリジェクト要因対処情報を取得する。
【００４５】
図６は、リジェクト要因対処情報の構成例について示した説明図である。
【００４６】
図６では、例えば、「紙幣折れ」のリジェクト要因に対応するリジェクト要因対処情報として、「出金口から取り出した紙幣の折れを直して、再度入金口に挿入してください」というメッセージを記憶している。
【００４７】
なお、制御部１０は、オペレータに表示出力する案内情報として、複数のリジェクト要因（例えば、発生回数が上位の所定数のリジェクト要因）に対応するリジェクト要因対処情報を表示出力するようにしてもよい。
【００４８】
以上のように、この実施形態において、制御部１０は、リジェクト要因履歴情報１１を記録する履歴情報記録手段として機能する。また、この実施形態において、制御部１０及びディスプレイ２３は、案内情報を出力する案内情報出力手段として機能している。
【００４９】
（Ａ−２）第１の実施形態の動作
次に、以上のような構成を有する第１の実施形態の現金処理装置１の動作（実施形態の情報出力方法）を説明する。
【００５０】
以下では、第１の実施形態の現金処理装置１において入金取引が行われる場合の動作を案内情報の出力処理を中心に説明する。
【００５１】
図７は、第１の実施形態の現金処理装置１において入金処理が行われる場合の動作について示したフローチャートである。
【００５２】
まず、オペレータにより、紙幣入金口３１に紙幣が投入されるとともに、操作表示部２０に対して入金開始の操作（ディスプレイ２３の操作画面上の操作等）が行われたものとする（Ｓ１０１）。
【００５３】
そして、オペレータの操作に応じて、制御部１０により、紙幣取込の制御が開始されたものとする（Ｓ１０２）。なお、この時点で、リジェクト要因履歴情報１１の内容は初期化された状態（全てのリジェクト要因に対応する発生回数が０となっている状態）であるものとする。
【００５４】
そして、制御部１０により、紙幣入金口３１及び搬送部３５の制御が行われ、紙幣入金口３１に集積されている紙幣のうち１枚の紙幣が紙幣認識部３３に供給され、紙幣認識部３３により当該紙幣の鑑別処理が行われ（Ｓ１０３）、制御部１０でその鑑別結果が確認される（Ｓ１０４）。そして、制御部１０は、鑑別処理の結果が正常判定だった場合は、後述するステップＳ１０５から動作し、そうでない場合（鑑別処理の結果が異常判定だった場合）は、後述するステップＳ１０６から動作する。
【００５５】
上述のステップＳ１０４で、当該紙幣の鑑別結果が正常判定だったと確認された場合、制御部１０は、当該紙幣を一次保留部３４に集積させるように、搬送部３５及び一次保留部３４を制御する（Ｓ１０５）。
【００５６】
一方、上述のステップＳ１０４で、当該紙幣の鑑別結果が異常判定だったと確認された場合、制御部１０は、当該紙幣を紙幣出金口３２に搬送してリジェクトする（Ｓ１０６）。なお、紙幣出金口３２へリジェクトされた紙幣は、再度紙幣入金口３１に投入することで再鑑別が可能である。
【００５７】
また、このとき、制御部１０は、リジェクト要因履歴情報１１を更新する（当該紙幣に係るリジェクト要因の発生回数をインクリメント）（Ｓ１０７）。
【００５８】
そして、制御部１０は、リジェクト要因履歴情報１１の内容から、最も発生回数の多いリジェクト要因を検出し、検出したリジェクト要因に対するリジェクト要因対処情報（処置方法の情報）を操作表示部２０（ディスプレイ２３）に表示出力する（Ｓ１０８）。
【００５９】
ここでは、リジェクト要因履歴情報１１の内容（リジェクト項目ごとの発生回数）は、図４のようになっており、制御部１０は、最も発生回数の多いリジェクト要因として「紙幣折れ」を検出する。そして、制御部１０は、検出したリジェクト要因（紙幣折れ）に対応するリジェクト要因対処情報（対処メッセージ）をリジェクト要因対処情報１２から取得して操作表示部２０（ディスプレイ２３）に表示出力（図６参照）することになる。現金処理装置１では、紙幣の取込み中に、紙幣出金口３２にリジェクトされたリジェクト紙幣について、オペレータはリジェクト要因を解消（例えば、折れ部分の修正や紙幣の交換等）した上で、紙幣入金口３１に再投入することができる。また、リジェクト要因が紙幣の汚損等である場合には、オペレータは別の紙幣を用意して、紙幣入金口３１に投入することができる。
【００６０】
なお、図６では、リジェクト要因対処情報のみを表示する画面として図示しているが、例えば、正常紙幣の計数状況（例えば、既に正常紙幣として認識された紙幣の金種ごとの枚数や合計枚数）と併せて１つの画面で表示するようにしてもよい。すなわち、現金処理装置１では、入金取引に際してオペレータにリジェクト要因対処情報を認識させることができれば、その出力形式や出力タイミングは限定されないものである。
【００６１】
そして、制御部１０は、紙幣入金口３１を制御して、紙幣入金口３１に次の紙幣の有無を確認し（Ｓ１０９）、次の紙幣が有る場合には上述のステップＳ１０３に戻って次の紙幣の処理に移行し、次の紙幣が無い場合（全ての紙幣について鑑別処理等が終了した場合）には、後述するステップＳ１１０の処理から動作する。
【００６２】
上述のステップＳ１０８で、紙幣入金口３１に次の紙幣が無いと確認された場合、制御部１０は、図示しないディスプレイ２３に表示する表示画面により、今回の紙幣の取込処理（上述のステップＳ１０３〜Ｓ１０９のループ処理）で、一次保留部３４に集積された紙幣（正常判定された紙幣）の計数結果（例えば、合計金額や金種ごとの枚数）を出力する（Ｓ１０１０）。
【００６３】
そして、その後、オペレータの操作（例えば、ディスプレイ２３の操作画面に対する操作）により、今回の入金取引について取引確定の操作又は取引キャンセルの操作がおこなわれたものとする（Ｓ１１１）。
【００６４】
上述のステップＳ１１１で、取引決定の操作が行われた場合には、制御部１０は、取引確定に係るデータ処理（例えば、図示しない管理データの更新等）を行うとともに、一次保留部３４に集積された紙幣を、それぞれ対応する紙幣カセット３６−１〜３６−４に収納させるように制御して（Ｓ１１３）処理を終了する。
【００６５】
一方、上述のステップＳ１１１で、取引キャンセルの操作が行われた場合には、制御部１０は、一次保留部３４に集積された紙幣を、紙幣出金口３２から排出して返却させるように制御して（Ｓ１１３）処理を終了する。
【００６６】
（Ａ−３）第１の実施形態の効果
第１の実施形態によれば、以下のような効果を奏することができる。
【００６７】
現金処理装置１では、一番発生回数の多いリジェクト要因に対応するガイダンスを表示出力することで、オペレータに紙幣の状態の改善を促すための適切なガイダンスを表示出力することができる。これにより、現金処理装置１では、状態改善された紙幣が紙幣入金口３１に再投入されるため、繰り返しリジェクト紙幣が発生する可能性を抑制することができる。
【００６８】
（Ｂ）第２の実施形態
以下、本発明による媒体処理装置、及び情報出力方法の第２の実施形態を、図面を参照しながら詳述する。第２の実施形態では本発明の媒体処理装置、及び情報出力方法を現金処理装置に適用した例について説明する。
【００６９】
（Ｂ−１）第２の実施形態の構成
図８は、第２の実施形態の現金処理装置１Ａの機能的構成について示したブロック図であり、上述図１と同一又は対応する部分には、同一又は対応する符号を付している。なお、第２の実施形態の現金処理装置１Ａのハードウェア構成については、上述の図２、図３等の図面を用いて説明することができるため以下では、第２の実施形態について、第１の実施形態との差異を説明する。
【００７０】
第２の実施形態では、制御部１０が制御部１０Ａに置き換わっている点で第１の実施形態とことなっている。そして、第２の実施形態の制御部１０Ａでは、リジェクト要因履歴情報１１及びリジェクト要因対処情報１２に替えて、リジェクト要因履歴情報１３が記憶されている点で第１の実施形態と異なっている。
【００７１】
図９は、リジェクト要因履歴情報１３の内容例について示している。
【００７２】
図９に示すように、リジェクト要因履歴情報１３は、異常紙幣（リジェクト紙幣）が発生した場合の履歴情報であり、具体的には、異常紙幣のリジェクト要因と発生順が関連付けて登録された内容となっている。
【００７３】
例えば、図９では、紙幣認識部３３で、７枚の異常紙幣(リジェクト紙幣)が検出され、６番目に発生した異常紙幣のリジェクト要因が「紙幣折れ」で、最新（７番目）に発生した異常紙幣のリジェクト要因が「スキュー」であることを示している。
【００７４】
そして、制御部１０Ａは、入金取引で紙幣を取り込む際に、リジェクト要因履歴情報１３の内容（１部又は全部）を案内情報として、操作表示部２０のディスプレイ２３に表示する。図１０は、現金処理装置１Ａで表示出力される案内情報の例である。図１０に示すように、現金処理装置１Ａでは、リジェクト要因履歴情報１３の内容を操作表示部２０のディスプレイ２３に表示する。なお、図１０に示す案内情報では、リジェクト要因履歴情報１３の内容のうち全部の行を表示する例について示しているが、一部のリジェクト要因（最新に発生した所定数のリジェクト要因）についてのみ表示するようにしてもよい。
【００７５】
これにより、紙幣出金口３２で、リジェクト紙幣（異常紙幣）が、発生順に並んでいる場合、オペレータはそれぞれの紙幣についてどのように対処すればリジェクト紙幣（異常紙幣）とならないかを容易に把握することが可能となる。このとき、制御部１０Ａは、ガイダンスとして、「紙幣折れ」、「スキュー」といったオペレータが紙幣の状態が理解できる用語で表示することが望ましい。オペレータは、操作表示部２０のディスプレイ２３に表示されたガイダンス（文言）から、リジェクト紙幣ごとの状態を把握し、リジェクト紙幣の状態を改善して、紙幣入金口３１に再度投入し入金を行うことができる。
【００７６】
なお、制御部１０Ａに、第１の実施形態のリジェクト要因対処情報１２を記憶させて、図１０に示す案内情報の表示画面上でオペレータにより選択（タッチ、クリック）されたリジェクト要因に対応するリジェクト要因対処情報をポップアップ表示（例えば、図６に示す案内情報をポップアップ表示）するようにしてもよい。
【００７７】
（Ｂ−２）第２の実施形態の動作
次に、以上のような構成を有する第２の実施形態の現金処理装置１Ａの動作（実施形態の情報出力方法）を説明する。
【００７８】
以下では、第２の実施形態の現金処理装置１Ａにおいて入金取引が行われる場合の動作について第１の実施形態との差異を中心に説明する。
【００７９】
第２の実施形態の現金処理装置１Ａにおいて入金取引が行われる場合の動作は、第１の実施形態と同様に上述の図７のフローチャートを用いて説明することができる。
【００８０】
第２の実施形態の現金処理装置１Ａ（制御部１０Ａ）では、上述のステップＳ１０７、Ｓ１０８が第１の実施形態と異なっている。
【００８１】
ステップＳ２０７では、今回発生したリジェクト紙幣のリジェクト要因に基づいて、リジェクト要因履歴情報１３を更新する。具体的には、制御部１０Ａは、リジェクト要因履歴情報１３に、今回発生したリジェクト紙幣のリジェクト要因の情報を発生順と共に追加する。
【００８２】
そして、ステップＳ２０８において、制御部１０Ａは、リジェクト要因履歴情報１３の内容の一部又は全部を、そのまま又は加工して、操作表示部２０（ディスプレイ２３）に表示出力する。
【００８３】
（Ｂ−３）第２の実施形態の効果
第２の実施形態によれば、以下のような効果を奏することができる。
【００８４】
現金処理装置１Ａでは、案内情報としてリジェクト紙幣の発生順にリジェクト要因を表示するため、オペレータに紙幣ごとに適切な状態改善を促すことができる。これにより、現金処理装置１Ａでは、紙幣ごとに適切に状態改善された紙幣が紙幣入金口３１に再投入されるため、第１の実施形態と比較して、繰り返しリジェクト紙幣が発生する可能性をより低減させることができる。
【００８５】
（Ｃ）他の実施形態
本発明は、上記の各実施形態に限定されるものではなく、以下に例示するような変形実施形態も挙げることができる。
【００８６】
上記の各実施形態では、本発明の媒体処理装置を現金処理装置に適用した例について説明したが、上記の各実施形態の現金処理装置をＡＴＭ等の現金の入出金を伴う装置に適用するようにしても良い。
【００８７】
また、上記の各実施形態の現金処理装置では、処理対象（収納対象）の媒体として、紙幣を適用しているが、処理対象とする媒体の種類の数や組み合わせは限定されないものである。
【００８８】
さらに、上記の各実施形態では、本発明の媒体処理装置を、現金処理装置に適用した例について説明したが、本発明の媒体処理装置が取り扱う媒体は紙幣に限定されず、その他の媒体を適用するようにしても良い。例えば、本発明の媒体処理装置を、硬貨、小切手、金券等の他の媒体を収納する装置に適用するようにしても良い。
【符号の説明】
【００８９】
１…現金処理装置、１０…制御部、１１…リジェクト要因履歴情報、１２…リジェクト要因対処情報、２０…操作表示部、２１、２２…占有キー、２３…ディスプレイ、３０…紙幣処理部、３１…紙幣入金口、３２…紙幣出金口、３３…紙幣認識部、３４…一次保留部、３５…搬送部、３５１…搬送路、３６、３６−１〜３６−４…紙幣カセット、３７…リジェクト庫付紙幣カセット、３７１…紙幣収納庫、３７２…リジェクト庫、４０…操作パネル。
【図１】
2014232445.tif 000003
【図２】
2014232445.tif 000004
【図３】
2014232445.tif 000005
【図４】
2014232445.tif 000006
【図５】
2014232445.tif 000007
【図６】
2014232445.tif 000008
【図７】
2014232445.tif 000009
【図８】
2014232445.tif 000010
【図９】
2014232445.tif 000011
【図１０】
2014232445.tif 000012